(57)【特許請求の範囲】
【請求項１】
甲被に設けられて甲被を締結用のベルトで締め付けて履物内に足を固定させる履物の足固定機構であって、
前記足固定機構は、直線方向に互いに対向して配置されてベルトを通す第１環および第２環と、第１環に通されて直線方向に延びるベルトの根元部と、第２環に通されて前記根元部に直線方向に重なる折り返し部と、根元部と折り返し部の直線方向延長上に配置されてベルト先端を係止する係止部とを有し、
ベルトはベルト基端が甲被外側に固定され、２つの第１、第２の分岐ベルトに分岐されて、第１環に通される前記第１の分岐ベルトにより前記根元部が形成され、当該第１の分岐ベルトが第１環で折り返され第２環に固定されて前記折り返し部が形成され、前記第２の分岐ベルトが第２環に通され折り返されて、前記ベルト先端が前記係止部に係止されるものであり、
前記根元部に前記折り返し部が直線方向に重なった状態で、第１環および第２環を介したベルトの引っ張り力により甲被が直線方向に引き絞られて締め付けられ、かつ当該締め付け状態で前記ベルト先端が前記係止部に係止されて足が履物内に固定される、履物の足固定機構。
【請求項２】
請求項１において、
前記足固定機構の第２環が、ベルトの締め付けに伴って前記直線方向に移動する、履物の足固定機構。
【請求項３】
請求項２において、
前記折り返し部で、前記第２環を介してベルトが前記直線方向に前記係止部に向かって引っ張られることにより、少なくとも当該折り返し部のベルト長さが短縮されて甲被が締め付けられる、履物の足固定機構。
【請求項４】
請求項１から３のいずれか１項において、
前記第１環の支持部材に当該第１環を前記直線方向に伸縮させる環用伸縮材が設けられている、履物の足固定機構。
【請求項５】
請求項１から４のいずれか１項において、
前記足固定機構の補助用に、その上方位置および下方位置のうち少なくとも下方位置に、下部用ベルトを締め付けて足を固定する下部固定部が設けられている、履物の足固定機構。
【請求項６】
請求項１から５のいずれか１項において、
履物が甲被の上方に延びる胴部を有する作業用履物であって、前記足固定機構が主として足甲部を固定するものであり、
前記足固定機構の補助用に、その上方位置および下方位置のうち少なくとも上方位置の胴部に、上部用ベルトを締め付けて足を固定する上部固定部が設けられている、作業用履物の足固定機構。
【発明の詳細な説明】
【技術分野】
【０００１】
本発明は、甲被を締結用のベルトで締め付けて履物内に足を固定させる履物の足固定機構に関する。
【背景技術】
【０００２】
一般に、靴底とその上部に取り付けられた甲被とを有する履物では、例えば靴ひもで足甲が位置する甲被を締め付けて足を固定するが、足の脱着ごとに靴ひもを締結および弛緩させる必要があり、脱着回数が多い場合には煩雑となる。この場合、従来から、容易に足を脱着できるとともに甲被を締め付けて足を履物内に固定させる履物の足固定機構が知られている。
【０００３】
この一例として、締結用のベルトを複数の環（リング）にジグザグ状に通して、ワンタッチでベルトの締結および弛緩をして足を脱着させる靴甲被の締結方法などが挙げられる（例えば、特許文献１）。
【先行技術文献】
【特許文献】
【０００４】
【特許文献１】特開平１１−３２８１０号公報
【発明の概要】
【発明が解決しようとする課題】
【０００５】
しかし、従来方法では、ワンタッチで容易に足を脱着できるものの、ベルトがジグザグ状に折り返されているので、ベルト締め付けに際して、ベルト先端の引っ張り力が複数方向に分散して力が入りにくく、ベルトの締結に比較的大きな力が必要となるという問題があった。
【０００６】
また、ベルトがジグザグ状に折り返されているので、ベルトが甲被表面に露出するスペースが大きくなって、足元が引っ掛かりやすくなり、安全上好ましくないという問題もあった。
【０００７】
また、甲被の上方に延びてふくらはぎまで覆う胴部を有する地下足袋や、安全靴などのような作業用履物において、例えば地下足袋では足固定用に金属製の小鉤（こはぜ）を有しており、足の脱着ごとに複数の小鉤（こはぜ）を係脱させるのが煩雑な場合がある。このため、容易に足を脱着でき、かつ、足元が引っ掛かりにくくて安全面を確保できるような作業用履物の足固定機構の実現が要望されていた。
【０００８】
本発明は、上記課題を解決して、足を容易に脱着でき、かつ軽度の力で固定できて、ベルトの甲被表面露出スペースを減少させて作業用としても有用な、履物の足固定機構を提供することを目的とするものである。
【課題を解決するための手段】
【０００９】
前記目的を達成するために、本発明の一構成にかかる履物の足固定機構は、甲被に設けられて甲被を締結用のベルトで締め付けて履物内に足を固定させる足固定機構であり、前記足固定機構は、直線方向に互いに対向して配置されてベルトを通す第１環および第２環と、第１環に通されて直線方向に延びるベルトの根元部と、第２環に通されて前記根元部に直線方向に重なる折り返し部と、根元部と折り返し部の直線方向延長上に配置されてベルト先端を係止する係止部とを有し、前記根元部に前記折り返し部が直線方向に重なった状態で、第１環および第２環を介したベルトの引っ張り力により甲被が直線方向に引き絞られて締め付けられ、かつ当該締め付け状態でベルト先端が係止部に係止されて足が履物内に固定される。
【００１０】
この構成によれば、ベルトの根元部に折り返し部が直線方向に重なった状態で、甲被が締め付けられたうえで、根元部と折り返し部の直線方向延長上に配置された係止部にベルト先端が係止されて足が履物内に固定されるので、一直線方向に力が入りやすく軽度の力で甲被を締め付けて、履物内に足をしっかりと固定することができる。またベルトの根元部と折り返し部が重なっているので、ベルトが甲被表面に露出するスペースを小さくできる。これにより、足を容易に脱着でき、かつ軽度の力で固定できて、甲被表面におけるベルトの露出スペースを減少させて足元を引っ掛かりにくくすることができる。
【００１１】
本発明では、前記足固定機構の第２環が、ベルトの締め付けに伴って前記直線方向に移動することが好ましい。また、前記折り返し部で、前記第２環を介してベルトが前記直線方向に前記係止部に向かって引っ張られることにより、少なくとも折り返し部のベルト長さが短縮されて甲被が締め付けられることも好ましい。この場合、第２環が一種の動滑車として作用するので、より軽度の力で甲被を締め付けることができる。
【００１２】
好ましくは、前記第１環の支持部材に当該第１環を前記直線方向に伸縮させる環用伸縮材を有している。したがって、履物内に足がしっかり固定された後、環用伸縮材の弾性力により、歩行に伴う足の屈曲の動きにベルトが追従して、その動きが妨げられないようにできる。
【００１３】
また、好ましくは、前記足固定機構の補助用に、その上方位置および下方位置のうち少なくとも下方位置に、下部用ベルトを締め付けて足を固定する下部固定部が設けられている。この場合、履物内に足をよりしっかりと固定することができる。
【００１４】
本発明の他の構成にかかる作業用履物の足固定機構は、甲被部分の上方に延びる胴部を有し、足固定機構が主として足甲部を固定するものである。前記足固定機構の補助用に、その上方位置および下方位置のうち少なくとも上方位置の胴部に、上部用ベルトを締め付けて足を固定する上部固定部が設けられている。ここで、足甲部とは、足甲および足甲よりも若干上方の足首周辺を含む部位をいう。この構成によれば、足甲部を固定するとともに、上部固定部により胴部を締め付けて、足全体を作業用履物内にしっかりと固定することができる。また、ベルトの根元部と折り返し部が重なっているので、ベルトの甲被露出部分が少なくなり、安全上も好ましい。
【発明の効果】
【００１５】
本発明は、ベルトの根元部に折り返し部が直線方向に重なった状態で、足の甲被部分が締め付けられたうえで、根元部と折り返し部の直線方向延長上に配置された係止部にベルト先端が係止されて足が履物内に固定されるので、直線方向の軽度の力で甲被を締め付けて、履物内に足をしっかりと固定することができる。またベルトの根元部と折り返し部が重なっているので、ベルトが甲被表面に露出するスペースを小さくできる。
【図面の簡単な説明】
【００１６】
【図１】本発明の第１実施形態に係る作業用履物の足固定機構を示す斜視図である。
【図２】図１の作業用履物の足固定機構を示す側面図である。
【図３】係止部の他例を示す斜視図である。
【図４】足固定機構の他例を示す斜視図である。
【図５】第２実施形態に係る履物の足固定機構を示す斜視図である。
【発明を実施するための形態】
【００１７】
以下、本発明の実施形態を図面に基づいて説明する。
図１は、本発明の第１実施形態に係る例えば地下足袋のような作業用履物１の足固定機構７を示す斜視図、図２（Ａ）、（Ｂ）はその側面図である。図１のように、この作業用履物１は、ゴム底のような靴底４、その上部に取り付けられた甲被３、および甲被３の上方に延びて足首からふくらはぎまでを覆って保護する胴部５を有する。この作業用履物（地下足袋）１には、従来と異なり、金属製の小鉤（こはぜ）が設けられていない。胴部５の前面は縦方向に割れて開口しており、その開口部分に拡幅部材６が設けられて、履き口の面積を大きくでき足を挿入しやすくなっている。足を挿入した後には、拡幅部材６が胴部５内に折り畳まれた状態で甲被３が締め付けられる。
【００１８】
この作業用履物（地下足袋）１は、従来と異なり、足固定用の金属製の小鉤（こはぜ）が設けられておらず、これに代えて、甲被３を締め付けて履物１内に足を固定させる足固定機構７を有する。この例では、足のうち主として足甲よりも若干上方に位置する足首周辺の足甲部８に位置する甲被３部分を締めつけている。
【００１９】
足固定機構７は、略直線方向Ｌに互いに対向して配置されてベルト１０を通す第１環１５および第２環１６と、第１環１５に通されて直線方向Ｌに延びるベルト１０の根元部１１と、第２環１６に通されて根元部１１を覆うようにこの直線方向Ｌに重なる折り返し部１２と、根元部１１と折り返し部１２の直線方向Ｌ延長上に配置されてベルト１０先端を係止する係止部１３とを有する。
【００２０】
この例では、根元部１１に折り返し部１２がほぼ水平な直線方向Ｌに重なった状態で、第１環１５および第２環１６を介したベルト１０の引っ張り力により甲被３が直線方向Ｌに引き絞られて締め付けられる。このとき、折り返し部１２の後端は、第１環１５となる。この締め付け状態でベルト先端は、直線方向Ｌ延長上の係止部１３に係止されて足が履物内に固定される。係止部１３は、例えば一対のループ形状面とフック形状面を有する面ファスナーからなる。
【００２１】
なお、係止部１３は上記した面ファスナーに何ら限定されるものではなく、図３に示すようなベルト止め機構などでもよい。このベルト止め機構は、貫通孔３６付き固定部３５と、固定部３５内を上下に可動する可動部３１とを備えている。可動部３１は、貫通孔３２付き押しボタン３３とばね３４とを有する。押しボタン１９を押すと貫通孔３２と３６が直線上に連通してベルト１０が挿通可能となり、押しボタン１９を離すとベルト１０が貫通孔３２と３６の間で屈曲して係止される。
【００２２】
この例では、図２（Ｂ）のように、第１環１５が直線方向Ｌに伸縮する環用伸縮材１７を介して支持される支持部１８が、甲被３外側（向かって左側）に縫着されて固定されている。図１のように、ベルト１０の基端１０ｃは、甲被３外側（向かって右側）に縫着されて、２つの第１、第２の分岐ベルト１０ａ、１０ｂに分岐され、第１環１５に通される第１の分岐ベルト１０ａにより根元部１１が形成される。その後、第１環１５で折り返され第２環１６に固定されて、折り返し部１２が形成される。第２の分岐ベルト１０ｂが第２環１６に通され折り返された後、図２（Ａ）のように係止部１３に係止される。
【００２３】
図２（Ａ）、（Ｂ）のように、根元部１１に折り返し部１２が略直線方向Ｌに重なり根元部１１が折り返し部１２に隠れた状態で、第１環１５および第２環１６を介したベルト１０の引っ張り力により甲被３が直線方向Ｌに引き絞られて締め付けられ、かつ直線Ｌ延長上の係止部１３にベルト先端が係止されて足が履物内に固定される。
【００２４】
図１のように、足固定機構７の第２環１６は、ベルト１０の引っ張り力による甲被３の締め付けとともに直線方向Ｌ（図では右方向）に移動して一種の動滑車として作用する。これとともに、ベルト１０の引っ張り力によって第１環１５および外甲部（図の左側部分）が引っ張られて、第２環１６側（図では右側）に引き寄せられるので、第１環１５も一種の動滑車として作用する。第１環１５および第２環１６がともに一種の動滑車に相当するので、ともに定滑車である場合と比較して、引っ張り力はその１／４の軽荷重となる。ベルト１０は、第１環１５および第２環１６を介して直線方向Ｌに引き絞られることにより、折り返し部１２の長さが短縮されて甲被３が締め付けられる。また、第１環１５は環用伸縮材１７を有しているので、履物１内に足がしっかり固定された後、環用伸縮材１７の弾性力により、歩行に伴う足の屈曲の動きにベルト１０が追従して、屈曲の動きが妨げられないようにできる。
【００２５】
したがって、この足固定機構７は、従来のジグザグ状と比べて、直線方向Ｌに力が入りやすく軽度の力で甲被３を締め付けるとともに、一種の動滑車の作用によりさらに軽度の力で、足を履物内にしっかりと固定することができる。またベルト１０の根元部１１に折り返し部１２が直線方向Ｌに重なっているので、ベルト１０が甲被３表面に露出するスペースを可及的に小さくでき、安全性も高くなる。
【００２６】
また、図２（Ａ）、（Ｂ）のように、足固定機構７の補助用として、その上方位置の胴部５に、上部用ベルト２１により胴部５を締め付ける上部固定部２２を有する。また、その下方位置に、下部用ベルト２３を締め付けて足首より下方の足甲を締め付ける下部固定部２４を有する。これらのベルトの係止には、例えば上記した面ファスナーが使用される。足固定機構８、および補助用の上部固定部２２と下部固定部２４により、足全体を履物１内によりしっかりと固定することができる。
【００２７】
図４は、足固定機構の他例を示す斜視図である。この足固定機構７Ａは、第１環１５および第２環１６がそれぞれ甲被３の両外側に縫着されている。ベルト１０の基端１０ｄが縫着され、第１環１５を通して折り返され第２環１６に至ってベルト１０の根元部４１が形成され、第２環１６で折り返されて折り返し部４２が形成され、ベルト１０の先端が係止部１３に係止される。ベルト締め付け時に、折り返し部４２の後端は、第２環１５となる。その他の構成は第１実施形態と同様である。
【００２８】
この他例でも、直線方向Ｌの軽度の力で甲被３を締め付けて、履物内に足をしっかりと固定することができる。第１環１５、第２環１６に環用伸縮材を使用することによって、上記と同様に歩行に伴う足の屈曲の動きをベルト１０の追従により妨げられないようにしてもよい。またベルト１０の根元部４１に折り返し部４２が重なっているので、ベルト１０が甲被３表面に露出するスペースを小さくできる。
【００２９】
なお、上記した足固定機構７、７Ａには補助用に、上部固定部２２および下部固定部２４を有しているが、いずれか１つまたは両方とも省略してもよい。
【００３０】
図５は、第２実施形態にかかるトレッキングシューズや運動靴のような履物２を示す斜視図である。第１実施形態と異なり、この履物２には胴部が形成されていない。足固定機構７Ｂは、甲被３を締め付けて主として足甲を履物１内に固定させるもので、ベルト１０の基端１０ｅが甲被３の裏側で縫着され、根元部５１と折り返し部５２が直線方向Ｌ（斜め方向）に重なった状態で、甲被３が締め付けられたうえで、根元部５１と折り返し部５２の直線Ｌ延長上に配置された係止部５３にベルト先端が係止されて足が履物２内に固定される。この場合、第２環５６は定滑車であり、ベルト１０の引っ張り力によって第１環５５および外甲部（図の左側部分）が引っ張られて、第２環５６側（図では右側）に引き寄せられるので、第１環５５は一種の動滑車として作用するので、軽度の力で甲被を締め付けることができる。なお、この例では、足固定機構７Ｂの補助用に、その下方位置に下部固定部５４を設けているが、必要に応じてこれを省略してもよい。
【００３１】
このように、本発明では、ベルトの根元部に折り返し部が直線方向に重なった状態で、足の甲被部分が締め付けられたうえで、根元部と折り返し部の直線方向延長上に配置された係止部にベルト先端が係止されて足が履物内に固定されるので、直線方向の軽度の力で甲被を締め付けて、履物内に足をしっかりと固定することができる。またベルトの根元部に折り返し部が重なっているので、ベルトが甲被表面に露出するスペースを小さくできる。これにより、足を容易に脱着でき、かつ軽度の力で固定できて、甲被表面におけるベルトの露出スペースを減少させて足元を引っ掛かりにくくすることが可能となる。
【００３２】
上記作業用履物を胴部が長い地下足袋に適用しているが、胴部を有しない、または胴部が比較的短い安全靴に適用してもよい。
【００３３】
本発明は、以上の実施形態に限定されるものでなく、本発明の要旨を逸脱しない範囲内で、種々の追加、変更または削除が可能である。したがって、そのようなものも本発明の範囲内に含まれる。
【符号の説明】
【００３４】
１：作業用履物
２：履物
３：甲被
４：靴底
５：胴部
７：足固定機構
１０：ベルト
１１：根元部
１２：折り返し部
１３：係止部
１５：第１環
１６：第２環
１７：環用伸縮材
Ｌ：直線方向
【図１】
0006637678.tif 000002
【図２】
0006637678.tif 000003
【図３】
0006637678.tif 000004
【図４】
0006637678.tif 000005
【図５】
0006637678.tif 000006